(57)【要約】【課題】  忙しい現代人や、時として殺伐ともなり易い時などこれを見て、心を大いに安らげて、落ち着けてもらい  又、大いにリフレッシュ・次のやる気・活力へとつなげるために、太陽電池によって、花瓶にさしてある植物・造花などがユラユラとゆっくりと動き、それを見て鑑賞した人がゆっくりとした大きな宇宙の時間の中にいる様な、精神を感じ取る事が出来るようにした。太陽電池を動力源とするが、単なる玩具ではなく、また単なる公告の為のアイテムでもなく、観賞用の動く造形として、構成した。【解決手段】コイル・電磁石・永久磁石で動く鑑賞用ディスプレイ装置であって、動く部材が植物・造花・ドライフラワーである。駆動源は太陽電池である。壁掛け用の台を備えた  ディスプレイであって、この台は四角形の枠を備えて、下方の板材の中央にディスプレイ用の載置板を備えている。【選択図】    図１
0003117412.tif 000002
【実用新案登録請求の範囲】
【請求項１】
鑑賞物が、動力源を太陽電池として動く鑑賞用ディスプレィ装置。
【請求項２】
前記鑑賞物が、植物、造花及び／またはドライフラワーである請求項１記載の鑑賞用ディスプレィ装置。
【請求項３】
前記鑑賞物が、コイル、電磁石および永久磁石によって動く請求項１〜２記載の鑑賞用ディスプレィ装置。
【請求項４】
四角形の枠からなる壁掛け用の台を備えた、請求項１〜３記載の鑑賞用ディスプレィ装置。
【請求項５】
下方の板材の中央にディスプレィ用の載置板を備えてなる、請求項１〜４記載の鑑賞用ディスプレィ装置。
【考案の詳細な説明】
【技術分野】
【０００１】  鑑賞物が太陽電池で動く、植物と花瓶・アートオブジェ・造形物を備えたディスプレィ装置
【背景技術】
【０００２】  従来のディスプレイ装置は、玩具であったり告知用アイテムであったりした。約５００年位前においては、千の利休が茶道を開発した頃、何気なくいつの間にか開発された、「獅子おどし」（水が溜まってカーンと竹の音がなる、日本古来の風情を見事に表現し尽くした開発品）がある。それは、この様な５００年に一度  ７００年に一度の、深い心の・魂の造景観、その様な物を表現して、これを見た人を瞬間の内に、心の原点・あるいは、遥かかなた、大いなる宇宙へと心豊かな精神世界へと導いてくれる。
しかし、前記「獅子おどし」のような、従来からの鑑賞物を動かすディスプレイ装置は、大きな導水機構を必要とするので、それを室内等で利用するには、大掛かりな設備と高額な費用とがかかり、現実的でない。
また、導水機構を必要とせず、現代技術により、電磁石を用いて動かすディスプレイ装置としては、特開２００４−３５８０６６号公報、特開平０５−２６９２５９号公報に記載されているものがあるが、しかしながらこれは、動くものが玩具であって鑑賞物ではない。
また、太陽電池を動力源として電磁石をを用いて、動かすディスプレイ装置としては、特開２００２−２２９４９３号公報に記載されているものがあるが、しかしこれは理容店の広告のためのものであって、鑑賞物のディスプレイ装置ではない。
以上のように、鑑賞物、なかんずく、植物と花瓶・アートオブジェ・造形物が、太陽電池を動力源として動くディスプレイ装置は、従来より存在しなかった。
【考案の開示】
【考案が解決しようとする課題】
【０００３】  本考案は、太陽電池を動力源とするが、単なる玩具ではなく、また単なる公告の為のアイテムでもなく、観賞用の動く造形として、考えられたものである。
忙しい現代人や、時として殺伐ともなり易い時などこれを見て、心を大いに安らげて、落ち着けてもらい  又、大いにリフレッシュ・次のやる気・活力へとつなげてもらう為に開発されたものである。
太陽電池によって、花瓶にさしてある植物・造花などがゆっくりとユラユラと動き、それを見て鑑賞した人がゆったりとした、大きな宇宙の時間の中にいる様な精神を感じ取る事が出来る。
【課題を解決するための手段】
【０００４】本願請求項１記載の考案は、鑑賞物が、動力源を太陽電池として動く鑑賞用ディスプレィ装置である。
本願請求項２記載の考案は、前記鑑賞物が、植物、造花及び／またはドライフラワーである請求項１記載の鑑賞用ディスプレィ装置である。
本願請求項３記載の考案は、前記鑑賞物が、コイル、電磁石および永久磁石によって動く請求項１〜２記載の鑑賞用ディスプレィ装置である。
本願請求項４記載の考案は、四角形の枠からなる壁掛け用の台を備えた、請求項１〜３記載の鑑賞用ディスプレィ装置である。
本願請求項５記載の考案は、下方の板材の中央にディスプレィ用の載置板を備えてなる、請求項１〜４記載の鑑賞用ディスプレィ装置である。【０００５】本願考案は、以下の（Ａ）（Ｂ）（Ｃ）（Ｄ）（Ｅ）等からなる置物・装飾物などの鑑賞物ディスプレィ装置であることを特徴とする。
（Ａ）太陽電池を使っている。
（Ｂ）植物・ドライフラワー・造花・アートオブジェ・造形物等の鑑賞物が左右にゆらゆらと動く。
（Ｃ）鑑賞物は、花瓶・造形花瓶等に置かれている。
（Ｄ）鑑賞物は、コイル・電磁石によって動かされる。
（Ｅ）標準的なカウンター置きタイプ（立体）の他に、壁掛けタイプ（平面・半立体）がある。
本考案においては、植物・ドライフラワー・造花・アートオブジェ・造形物等の鑑賞物が、花瓶・造形花瓶等に置かれ、それらが、コイル・電磁石によってゆらゆらと動かされる。コイル・電磁石の動力源は太陽電池である。
装置の形態としては、標準的なカウンター置きタイプ（立体）と、壁掛けタイプ（平面・半立体）ある。
次に本考案の概要を説明する。
【図１】
は、本考案の全体を表す斜視図である。
【図２】
は、本考案の正面から見た図と断面図とを表し、Ａは正面図、Ｂは正面から見た断面図、Ｃは上から見た平面図を表す。
鑑賞物５が、造形花瓶６の中に差し込まれ、その中の駆動部機構（図３）によってゆらゆらと左右、或いは前後に動きを与えられる。これによって、鑑賞した人は、ゆっくりとした大きな宇宙の時間の中にいる様な精神を感じ取る事が出来る。また、心を大いに安らげ、心を落ち着け  又、大いにリフレッシュして次のやる気・活力へとつなげることができる。鑑賞物５は、植物・ドライフラワー・造花等である。これらを、その場の環境・雰囲気、或いは鑑賞者の意向に応じて、随時差し替えて用いることができる。
鑑賞物５をゆらゆらと左右、或いは前後に動かす駆動部機構は、後述する図３に示すような構成であり、太陽電池４によって動力源としてのパワーを与えられる。
本考案の全体構成は、図１Ａに示すような標準的な立体・床置きタイプの他に、図１Ｂに示すよう壁面・壁掛けタイプがある。立体・床置きタイプの採用に支障がある場合は、図１Ｂの、壁面・壁掛けタイプを選ぶことができる。
【考案の効果】
【０００６】本考案によれば、
▲１▼心がなごむ事によって、よし  もう一度頑張るかという、やる気・心のリフレッシュにつながる。
▲２▼太陽電池で半永久的に動く。
▲３▼太陽電池で、電磁石（コイル）と永久磁石によって、左右または前後にゆっくり、ゆらゆらと動く鑑賞物を、味わい堪能する。
という特徴がある。
【本考案を実施するための最良の形態】
【０００７】
【図３】
は、造形花瓶６の中に設けられた駆動部機構の構成を表す。駆動部機構は、鑑賞物５をゆらゆらと左右、或いは前後にゆっくりと動かす機構である。鑑賞物５は、ようどう板７に支えられて、ゆらゆらと左右、或いは前後にゆっくりと動かされる。１０はそのようどう板７の動きを表す。ようどう板７は、回転支軸を介して永久磁石８に固定される。永久磁石８は、電磁石（コイル）９の周囲に配置されて、電磁石（コイル）９の励磁、非励磁に応じて左右、或いは前後に揺動する。電磁石（コイル）９には、太陽電池４から、間歇的に電源を供給される。これによって、永久磁石８が左右、或いは前後に揺動し、これによって支軸を介して、ようどう板７が左右、或いは前後に揺動し、その結果ようどう板に支えられた鑑賞物５が、ゆらゆらと左右、或いは前後にゆっくりと動かされる。
太陽電池からの電源を間歇的に供給する仕組みは、一般的に行われている電子技術における、例えば非安定マルチバイブレーターの様な、ものを利用しても良いし、また、ようどう板７に取り付けられた光遮蔽板が太陽電池４への光を遮るように構成して、その結果、ようどう板７の動きに合わせて自動的にスイッチングが行われるようにして、自動的に鑑賞物５が、ゆらゆらと左右、或いは前後にゆっくりと動かされるようにしても良い。    更に太陽電池４から光を受けて、そこから微量の電気エネルギーに変換し、電磁石（コイル）９の磁力をおこして、その磁力エネルギーが永久磁石８を反発して動かしそのエネルギーが支点をとうして、ようどう板７を左右に動かす。左右に動いたようどう板に取り付けてある鑑賞物５・植物・造花等がゆっくりユラユラと動く・１０ようにしても良い。
【産業上の利用可能性】
【０００８】  本考案は、インテリアアート、記念品、贈り物、販売促進用アイテム等に適用できる。
【図面の簡単な説明】
【０００９】
【図１】は、本考案の全体を表す斜視図である。Ａは立体・床置きタイプを表し、Ｂは壁面・壁掛けタイプを表す。
【図２】は、本考案の正面から見た図と断面図とを表す。Ａは正面図であり、Ｂは正面から見た断面図であり、Ｃは上から見た平面図である。
【図３】は、本考案を作動させる駆動部機構の構成を表す。
【符号の説明】
【００１０】１・・置き台    ２・・バックパネル    ３・・額縁    ４・・太陽電池    ５・・鑑賞物    ６・・造形花瓶    ７・・ようどう板    ８・・永久磁石    ９・・電磁石（コイル）    １０・・動き
【図１】
0003117412.tif 000003
【図２】
0003117412.tif 000004
【図３】
0003117412.tif 000005
【手続補正書】
【提出日】平成17年9月20日(2005.9.20)
【手続補正１】
【補正対象書類名】実用新案登録請求の範囲
【補正対象項目名】全文
【補正方法】変更
【補正の内容】
【実用新案登録請求の範囲】
【請求項１】
太陽電池より供給される動力源により揺動するようどう板を備え、該ようどう体の一端に鑑賞物を配置したことを特徴とする鑑賞用ディスプレイ装置。
【請求項２】
前記鑑賞物が、植物、造化及び／またはドライフラワーである請求項１記載の鑑賞用ディスプレイ装置。
【請求項３】
前記ようどう体の他端に永久磁石を固定するとともに、該永久磁石の近傍に電磁石またはコイルを配置し、前記太陽電池からのエネルギーにより電磁石またはコイルに発生する磁力エネルギーが前記永久磁石に作用することで前記ようどう体を動かして動力源とする請求項１または請求項２に記載の鑑賞用ディスプレイ装置。
【請求項４】
四角形の枠からなる壁掛け用の台を備えた請求項１から請求項３に記載の鑑賞用ディスプレイ。
【請求項５】
下方中央にディスプレイ用の載置板を備えてなる請求項１から請求項４に記載の鑑賞用ディスプレイ装置。
【手続補正２】
【補正対象書類名】明細書
【補正対象項目名】０００４
【補正方法】変更
【補正の内容】
【０００４】  本願請求項１記載の考案は、太陽電池４より供給される動力源により揺動するようどう板７を備え、該ようどう体７の一端に鑑賞物５を配置したことを特徴とする鑑賞用ディスプレイ装置である。
本願請求項２記載の考案は、請求項１記載の鑑賞用ディスプレイ装置において、前記鑑賞物５が、植物、造化及び／またはドライフラワーであることを特徴としている。
本願請求項３記載の考案は、請求項１または請求項２に記載の鑑賞用ディスプレイ装置において、前記ようどう体７の他端に永久磁石８を固定するとともに、該永久磁石８の近傍に電磁石（またはコイル）９を配置し、前記太陽電池４からのエネルギーにより電磁石（まはコたイル）９に発生する磁力エネルギーが前記永久磁石８に作用することで前記ようどう体７を動かして動力源とすることを特徴としている。
本願請求項４の考案は、請求項１から請求項３に記載の鑑賞用ディスプレィ装置において、四角形の枠からなる壁掛け用の台（額縁３）を備えたことを特徴としている。
本願請求項５の考案は、請求項１から請求項４に記載の鑑賞用ディスプレィ装置において、下方中央にディスプレィ用の載置板を備えてなることを特徴としている。
【手続補正３】
【補正対象書類名】明細書
【補正対象項目名】０００７
【補正方法】変更
【補正の内容】
【０００７】
【図３】は、造形花瓶６の中に設けられた駆動部機構の構成を表す。駆動部機構は、鑑賞物５をゆらゆらと左右、或いは前後にゆっくりと動かす機構である。鑑賞物５は、ようどう板７に支えられて、ゆらゆらと左右、或いは前後にゆっくりと動かされる。１０はそのようどう板７の動きを表す。ようどう板７は、回転支軸を介して永久磁石８に固定される。永久磁石８は、電磁石（コイル）９の周囲に配置されて、電磁石（コイル）９の励磁、非励磁に応じて反発或いは吸引作用により左右、或いは前後に揺動する。電磁石（コイル）９には、太陽電池４から、間歇的に電源を供給される。これによって、永久磁石８が左右、或いは前後に揺動し、これによって支軸を介して、ようどう板７が左右、或いは前後に揺動し、その結果ようどう板に支えられた鑑賞物５が、ゆらゆらと左右、或いは前後にゆっくりと動かされる。  太陽電池からの電源を間歇的に供給する仕組みは、一般的に行われている電子技術における、例えば非安定マルチバイブレーターの様な、ものを利用しても良いし、また、ようどう板７に取り付けられた光遮蔽板が太陽電池４への光を遮るように構成して、その結果、ようどう板７の動きに合わせて自動的にスイッチングが行われるようにして、自動的に鑑賞物５が、ゆらゆらと左右、或いは前後にゆっくりと動かされるようにしても良い。